(57)【要約】【課題】  フレーム同期がとれなくなったときに、フレーム同期を回復することのできる無線基地局、無線基地局間同期制御センタおよび無線基地局間同期制御システムの同期制御方法を提供する。【解決手段】  フレーム同期制御部３３は、ＧＰＳアンテナ３０からの基準信号に自局のフレームを同期させる。通信状態情報作成部２１は、自局の通信状態を表わす通信状態情報を作成し、無線基地局間同期制御センタ１へ送信する。再フレーム同期制御部３は、受信した各無線基地局の通信状態情報に基づいて、各無線基地局が再フレーム同期が必要か否かを判断し、再フレーム同期が必要な無線基地局へ再フレーム同期の指示を送信する。フレーム同期制御部３３は、再フレーム同期の指示を受信したときに、再度自局のフレームの同期を行なう。【選択図】        図３
2006186765.tif 000002
【特許請求の範囲】
【請求項１】
ＧＰＳアンテナからの基準信号または他の無線基地局のフレームに自局のフレームを同期させるフレーム同期部と、
自局の通信状態を表わす通信状態情報を作成する通信状態情報作成部と、
前記通信状態情報を無線基地局間同期制御センタへ送信し、前記無線基地局間同期制御センタから再フレーム同期の指示を受信する通信部とを備え、
前記フレーム同期部は、前記無線基地局間同期制御センタから再フレーム同期の指示を受信したときに、再度前記自局のフレームの同期を行なう、無線基地局。
【請求項２】
前記通信状態情報作成部は、所定時間内のトラフィック量と、前記所定時間内のエラー回数またはエラーレートとを表わす通信状態情報を作成する、請求項１記載の無線基地局。
【請求項３】
複数個の無線基地局間のフレーム同期を制御する無線基地局間同期制御センタであって、
各無線基地局からその無線基地局の通信状態を表わす通信状態情報を受信する通信部と、
前記受信した各無線基地局の通信状態情報に基づいて、前記各無線基地局が再フレーム同期が必要か否かを判断する再フレーム同期制御部とを備え、
前記通信部は、前記再フレーム同期が必要と判断された無線基地局へ再フレーム同期の指示を送信する、無線基地局間同期制御センタ。
【請求項４】
前記通信状態情報は、所定時間内のトラフィック量と、前記所定時間内のエラー回数またはエラーレートとを含み、
前記再フレーム同期制御部は、前記通信状態情報が、所定時間内のトラフィック量が規定値以上あり、前記所定時間内のエラー回数が閾値を越え、かつ前記所定時間内のエラー回数が所定数を超える他の無線基地局の前記所定時間内のエラー回数よりも所定値を超えて多いことを示すときに、再フレーム同期が必要と判断する、請求項３記載の無線基地局間同期制御センタ。
【請求項５】
前記通信状態情報は、所定時間内のトラフィック量と、前記所定時間内のエラー回数またはエラーレートとを含み、
前記再フレーム同期制御部は、前記通信状態情報が、所定時間内のトラフィック量が規定値以上あり、前記所定時間内のエラーレートが閾値を越え、かつ前記所定時間内のエラーレートが所定数を超える他の無線基地局の前記所定時間内のエラーレートよりも所定値を超えて大きいことを示すときに、再フレーム同期が必要と判断する、請求項３記載の無線基地局間同期制御センタ。
【請求項６】
複数個の無線基地局と、前記複数個の無線基地局間のフレーム同期を制御する無線基地局間同期制御センタとからなる無線基地局間同期制御システムの同期制御方法であって、
各無線基地局が、ＧＰＳアンテナからの基準信号または他の無線基地局のフレームに自局のフレームを同期させるステップと、
前記各無線基地局が、自局の通信状態を表わす通信状態情報を作成する通信状態情報作成ステップと、
前記各無線基地局が、前記通信状態情報を無線基地局間同期制御センタへ送信するステップと、
前記無線基地局間同期制御センタが、前記各無線基地局からその無線基地局の通信状態を表わす通信状態情報を受信するステップと、
前記無線基地局間同期制御センタが、前記受信した各無線基地局の通信状態情報に基づいて、前記各無線基地局が再フレーム同期が必要か否かを判断する再フレーム同期制御ステップと、
前記無線基地局間同期制御センタが、前記再フレーム同期が必要と判断された無線基地局へ再フレーム同期の指示を送信するステップと、
前記各無線基地局が、前記無線基地局間同期制御センタから再フレーム同期の指示を受信したときに、再度、ＧＰＳアンテナからの基準信号または他の無線基地局のフレームに自局のフレームを同期させるステップとを含む、無線基地局間同期制御システムの同期制御方法。
【請求項７】
前記通信状態情報作成ステップにおいて、前記各無線基地局は、所定時間内のトラフィック量と、前記所定時間内のエラー回数またはエラーレートとを表わす通信状態情報を作成し、
前記再フレーム同期制御ステップにおいて、前記無線基地局間同期制御センタは、前記通信状態情報が、前記所定時間内のトラフィック量が規定値以上あり、前記所定時間内のエラー回数が閾値を越え、かつ前記所定時間内のエラー回数が所定数を超える他の無線基地局の前記所定時間内のエラー回数よりも所定値を超えて多いことを示すときに、再フレーム同期が必要と判断する、請求項６記載の無線基地局間同期制御システムの同期制御方法。
【請求項８】
前記通信状態情報作成ステップにおいて、前記各無線基地局は、所定時間内のトラフィック量と、前記所定時間内のエラー回数またはエラーレートとを表わす通信状態情報を作成し、
前記再フレーム同期制御ステップにおいて、前記無線基地局間同期制御センタは、前記通信状態情報が、前記所定時間内のトラフィック量が規定値以上あり、前記所定時間内のエラーレートが閾値を越え、かつ前記所定時間内のエラーレートが所定数を超える他の無線基地局の前記所定時間内のエラーレートよりも所定値を超えて大きいことを示すときに、再フレーム同期が必要と判断する、請求項６記載の無線基地局間同期制御システムの同期制御方法。
【発明の詳細な説明】
【技術分野】
【０００１】
本発明は、無線基地局、無線基地局間同期制御センタおよび無線基地局間同期制御システムの同期制御方法に関する。
【背景技術】
【０００２】
移動体通信システム（たとえば、Personal Handy-Phone System：以下、ＰＨＳ）ではＴＤＭＡ／ＴＤＤ（Time Division Multiple Access/Time Division Duplex）方式で通信を行なっている。
【０００３】
図８は、ＴＤＭＡ／ＴＤＤ方式を説明するための図である。
【０００４】
ＰＨＳでは、１フレームが８スロットで構成され、上り（無線端末局から無線基地局への通信方向）４スロットおよび下り（無線基地局から無線端末局への通信方向）４スロットで構成される。通常、上りおよび下りの４対のスロットのうち、１対のスロットには、各無線端末局で共通の制御チャネル（以下、共通制御チャネルという）が割り当てられ、３対のスロットには、各無線端末局で別個の制御チャネル（以下、個別制御チャネルという）および通話チャネルが割り当てられる。また、無線基地局および無線端末局は１または複数の帯域の無線信号を送受信し、これらの各帯域（以下、無線チャネルという）ごとにフレームおよびスロットが存在する。
【０００５】
ところで、周波数利用効率の向上、および干渉防止などのために、複数の基地局間でフレーム同期という処理が行なわれている。
【０００６】
たとえば、特許文献１では、１つの基地局が、各従局に対して夫々の時間基準となる同期信号を送信し、各従局がその同期信号を検出してこれを時間基準とし、自局に割り当てられた下り回線（基地局から送られる信号を受信する回路）および上り回線（基地局へ信号を送信する回路）の時間位置を確認して、夫々の通信回線を捕捉するようになっている。これによって、各無線機局間でフレーム同期が確立される。
【０００７】
図９は、無線基地局Ａ、ＢおよびＣでフレーム同期が確立された状態を表す図である。このようなフレーム同期によって、無線基地局間の電波の干渉を防止し、周波数の有効利用、良好な通信品質の維持を図ることができる。
【特許文献１】特開平６−３３８８５４号公報
【発明の開示】
【発明が解決しようとする課題】
【０００８】
しかしながら、ある無線基地局において、機器の精度または同期信号に重畳されるノイズなどの原因によって、一旦確立したフレーム同期がとれなくなってしまうことがある。
【０００９】
図１０は、無線基地局Ｂでフレーム同期がとれなくなった状態を表す図である。
図１０に示すように、無線基地局Ｂにおいて、フレームの同期がずれた場合、無線基地局Ｂは、無線基地局ＡおよびＣに対して干渉源となる。
【００１０】
さらに、無線基地局ＡおよびＣを含む周囲の無線基地局すべてが無線基地局Ｂに対する干渉源となる。たとえば、無線基地局Ａの第１スロットで周波数ｆ１、無線基地局Ａの第４スロットで周波数ｆ２、無線基地局Ｃの第１スロットで周波数ｆ３、無線基地局Ｃの第４スロットで周波数ｆ４が使用される場合、無線基地局Ｂの第１スロットではｆ１〜ｆ４のいずれの周波数を用いても直接的な干渉を受けることになる。したがって、無線基地局Ｂにおいてエラーとなるフレームの発生率を表わすフレームエラーレート（ＦＥＲ：Frame Error Rate）が、無線基地局ＡおよびＣのフレームエラーレートに比べて大きくなる。
【００１１】
それゆえに、本発明は、フレーム同期がとれなくなったときに、フレーム同期を回復することのできる無線基地局、無線基地局間同期制御センタおよび無線基地局間同期制御システムの同期制御方法を提供することである。
【課題を解決するための手段】
【００１２】
上記課題を解決するために、本発明の無線基地局は、ＧＰＳアンテナからの基準信号または他の無線基地局のフレームに自局のフレームを同期させるフレーム同期部と、自局の通信状態を表わす通信状態情報を作成する通信状態情報作成部と、通信状態情報を無線基地局間同期制御センタへ送信し、無線基地局間同期制御センタから再フレーム同期の指示を受信する通信部とを備え、フレーム同期部は、無線基地局間同期制御センタから再フレーム同期の指示を受信したときに、再度自局のフレームの同期を行なう。
【００１３】
好ましくは、通信状態情報作成部は、所定時間内のトラフィック量と、所定時間内のエラー回数またはエラーレートとを表わす通信状態情報を作成する。
【００１４】
また、本発明の無線基地局間同期制御センタは、複数個の無線基地局間のフレーム同期を制御する無線基地局間同期制御センタであって、各無線基地局から、その無線基地局の通信状態を表わす通信状態情報を受信する通信部と、受信した各無線基地局の通信状態情報に基づいて、各無線基地局が再フレーム同期が必要か否かを判断する再フレーム同期制御部とを備え、通信部は、再フレーム同期が必要と判断された無線基地局へ再フレーム同期の指示を送信する。
【００１５】
好ましくは、通信状態情報は、所定時間内のトラフィック量と、所定時間内のエラー回数またはエラーレートとを含み、再フレーム同期制御部は、通信状態情報が、所定時間内のトラフィック量が規定値以上あり、所定時間内のエラー回数が閾値を越え、かつ所定時間内のエラー回数が所定数を超える他の無線基地局の所定時間内のエラー回数よりも所定値を超えて多いことを示すときに、再フレーム同期が必要と判断する。
【００１６】
好ましくは、通信状態情報は、所定時間内のトラフィック量と、所定時間内のエラー回数またはエラーレートとを含み、再フレーム同期制御部は、通信状態情報が、所定時間内のトラフィック量が規定値以上あり、所定時間内のエラーレートが閾値を越え、かつ所定時間内のエラーレートが所定数を超える他の無線基地局の所定時間内のエラーレートよりも所定値を超えて大きいことを示すときに、再フレーム同期が必要と判断する。
【００１７】
また、本発明の無線基地局間同期制御システムの同期制御方法は、複数個の無線基地局と、複数個の無線基地局間のフレーム同期を制御する無線基地局間同期制御センタとからなる無線基地局間同期制御システムの同期制御方法であって、各無線基地局が、ＧＰＳアンテナからの基準信号または他の無線基地局のフレームに自局のフレームを同期させるステップと、各無線基地局が、自局の通信状態を表わす通信状態情報を作成する通信状態情報作成ステップと、各無線基地局が、通信状態情報を無線基地局間同期制御センタへ送信するステップと、無線基地局間同期制御センタが、各無線基地局からその無線基地局の通信状態を表わす通信状態情報を受信するステップと、無線基地局間同期制御センタが、受信した各無線基地局の通信状態情報に基づいて、各無線基地局が再フレーム同期が必要か否かを判断する再フレーム同期制御ステップと、無線基地局間同期制御センタが、再フレーム同期が必要と判断された無線基地局へ再フレーム同期の指示を送信するステップと、各無線基地局が、無線基地局間同期制御センタから再フレーム同期の指示を受信したときに、再度、ＧＰＳアンテナからの基準信号または他の無線基地局のフレームに自局のフレームを同期させるステップとを含む。
【００１８】
好ましくは、通信状態情報作成ステップにおいて、各無線基地局は、所定時間内のトラフィック量と、所定時間内のエラー回数またはエラーレートとを表わす通信状態情報を作成し、再フレーム同期制御ステップにおいて、無線基地局間同期制御センタは、通信状態情報が、所定時間内のトラフィック量が規定値以上あり、所定時間内のエラー回数が閾値を越え、かつ所定時間内のエラー回数が所定数を超える他の無線基地局の所定時間内のエラー回数よりも所定値を超えて多いことを示すときに、再フレーム同期が必要と判断する。
【００１９】
好ましくは、通信状態情報作成ステップにおいて、各無線基地局は、所定時間内のトラフィック量と、所定時間内のエラー回数またはエラーレートとを表わす通信状態情報を作成し、再フレーム同期制御ステップにおいて、無線基地局間同期制御センタは、通信状態情報が、所定時間内のトラフィック量が規定値以上あり、所定時間内のエラーレートが閾値を越え、かつ所定時間内のエラーレートが所定数を超える他の無線基地局の所定時間内のエラーレートよりも所定値を超えて大きいことを示すときに、再フレーム同期が必要と判断する。
【００２０】
また、本発明の無線基地局間同期制御システムは、複数個の無線基地局と、複数個の無線基地局間のフレーム同期を制御する無線基地局間同期制御センタとからなる無線基地局間同期制御システムであって、各無線基地局は、ＧＰＳアンテナからの基準信号または他の無線基地局のフレームに自局のフレームを同期させるフレーム同期部と、自局の通信状態を表わす通信状態情報を作成する通信状態情報作成部と、通信状態情報を無線基地局間同期制御センタへ送信し、無線基地局間同期制御センタから再フレーム同期の指示を受信する通信部とを備え、フレーム同期部は、無線基地局間同期制御センタから再フレーム同期の指示を受信したときに、再度自局のフレームの同期を行ない、無線基地局間同期制御センタは、各無線基地局から、その無線基地局の通信状態を表わす通信状態情報を受信する通信部と、受信した各無線基地局の通信状態情報に基づいて、各無線基地局が再フレーム同期が必要か否かを判断する再フレーム同期制御部とを備え、通信部は、再フレーム同期が必要と判断された無線基地局へ再フレーム同期の指示を送信する。
【００２１】
好ましくは、通信状態情報作成部は、所定時間内のトラフィック量と、所定時間内のエラー回数またはエラーレートとを表わす通信状態情報を作成し、再フレーム同期制御部は、通信状態情報が、所定時間内のトラフィック量が規定値以上あり、所定時間内のエラー回数が閾値を越え、かつ所定時間内のエラー回数が所定数を超える他の無線基地局の所定時間内のエラー回数よりも所定値を超えて多いことを示すときに、再フレーム同期が必要と判断する。
【００２２】
好ましくは、通信状態情報作成部は、所定時間内のトラフィック量と、所定時間内のエラー回数またはエラーレートとを表わす通信状態情報を作成し、再フレーム同期制御部は、通信状態情報が、所定時間内のトラフィック量が規定値以上あり、所定時間内のエラーレートが閾値を越え、かつ所定時間内のエラーレートが所定数を超える他の無線基地局の所定時間内のエラーレートよりも所定値を超えて大きいことを示すときに、再フレーム同期が必要と判断する。
【００２３】
また、本発明の無線基地局の同期制御プログラムは、無線基地局の同期を制御するために、コンピュータを、ＧＰＳアンテナからの基準信号または他の無線基地局のフレームに自局のフレームを同期させるフレーム同期部と、自局の通信状態を表わす通信状態情報を作成する通信状態情報作成部と、通信状態情報を無線基地局間同期制御センタへ送信し、無線基地局間同期制御センタから再フレーム同期の指示を受信する通信部として機能させ、フレーム同期部は、無線基地局間同期制御センタから再フレーム同期の指示を受信したときに、再度自局のフレームの同期を行なう。
【００２４】
好ましくは、通信状態情報作成部は、所定時間内のトラフィック量と、所定時間内のエラー回数またはエラーレートとを表わす通信状態情報を作成する。
【００２５】
また、無線基地局間同期制御センタの制御プログラムは、複数個の無線基地局間のフレーム同期を制御する無線基地局間同期制御センタを制御するために、コンピュータを、各無線基地局から、その無線基地局の通信状態を表わす通信状態情報を受信する通信部と、受信した各無線基地局の通信状態情報に基づいて、各無線基地局が再フレーム同期が必要か否かを判断する再フレーム同期制御部として機能させ、通信部は、再フレーム同期が必要と判断された無線基地局へ再フレーム同期の指示を送信する。
【００２６】
好ましくは、通信状態情報は、所定時間内のトラフィック量と、所定時間内のエラー回数またはエラーレートとを含み、再フレーム同期制御部は、通信状態情報が、所定時間内のトラフィック量が規定値以上あり、所定時間内のエラー回数が閾値を越え、かつ所定時間内のエラー回数が所定数を超える他の無線基地局の所定時間内のエラー回数よりも所定値を超えて多いことを示すときに、再フレーム同期が必要と判断する。
【００２７】
好ましくは、通信状態情報は、所定時間内のトラフィック量と、所定時間内のエラー回数またはエラーレートとを含み、再フレーム同期制御部は、通信状態情報が、所定時間内のトラフィック量が規定値以上あり、所定時間内のエラーレートが閾値を越え、かつ所定時間内のエラーレートが所定数を超える他の無線基地局の所定時間内のエラーレートよりも所定値を超えて大きいことを示すときに、再フレーム同期が必要と判断する。
【発明の効果】
【００２８】
本発明によれば、複数の無線基地局間でフレーム同期がとれなくなったときに、フレーム同期を回復することができる。
【発明を実施するための最良の形態】
【００２９】
以下、本発明の実施の形態について、図面を用いて説明する。
【００３０】
（無線基地局間同期制御システムの構成および再フレーム同期のシーケンス）
図１は、無線基地局間同期制御システムの構成を示す図である。
【００３１】
図２は、無線基地局間同期制御システムの再フレーム同期処理のシーケンスを表わす図である。
【００３２】
図１および図２を参照して、無線基地局間同期制御システムは、１台のセンタ１と、複数台の無線基地局ＣＳ１ａ〜ＣＳ１ｅとからなる。
【００３３】
センタ１と無線基地局ＣＳ１ａ〜ＣＳ１ｅとは、ＩＳＤＮ（Integrated Service Digital Network）網３２で接続されている。
【００３４】
センタ１は、各無線基地局ＣＳ１ａ〜ＣＳ１ｅへ通信状態情報を要求する。通信状態情報の詳細については後述する。
【００３５】
各無線基地局ＣＳ１ａ〜ＣＳ１ｅは、通信状態情報要求を受信すると、通信状態を通知する。
【００３６】
センタ１は、各無線基地局ＣＳ１ａ〜ＣＳ１ｅから通信状態情報を受信すると、各無線基地局ＣＳ１ａ〜ＣＳ１ｅが再フレーム同期が必要か否かを判断し、再フレーム同期が必要と判断した無線基地局に対して、再フレーム同期指示を送信する。
【００３７】
再フレーム同期指示を受信した無線基地局は、再フレーム同期を実行する。
【００３８】
なお、センタ１から各無線基地局ＣＳ１ａ〜ＣＳ１ｅへの通信情報情報の要求は省略してもよい。その場合は、各無線基地局ＣＳ１ａ〜ＣＳ１ｅからセンタ１へ通信状態情報が自律送信（たとえば、一定時間ごとに送信する）される。
【００３９】
（無線基地局間同期制御システムの詳細な構成）
図３は、無線基地局間同期制御システムの詳細な構成を示す図である。同図において、無線基地局については、無線基地局ＣＳ１ａの構成を代表して表わす。他の無線基地局ＣＳ１ｂ〜ＣＳ１ｅの構成も同様である。
【００４０】
図３を参照して、無線基地局ＣＳ１ａは、ＧＰＳアンテナ３０と、無線アンテナ３１と、無線モジュール２７と、ＧＰＳ受信機２８と、無線信号処理部２６と、無線制御部２５と、中央制御部２２と、音声制御部２４と、回線制御部２３と、電源部２９とを備える。
【００４１】
ＧＰＳアンテナ３０と、無線アンテナ３１と、無線モジュール２７と、ＧＰＳ受信機２８と、無線信号処理部２６と、無線制御部２５と、中央制御部２２と、音声制御部２４と、回線制御部２３と、電源部２９とを備える。
【００４２】
ＧＰＳアンテナ３０は、ＧＰＳ用の人工衛星から送信される基準タイミングを定めた信号を受信する。
【００４３】
ＧＰＳ受信機２８は、ＧＰＳアンテナ３０で受信した基準タイミングを定めた信号をデジタルの基準タイミング信号に変換し、無線制御部３０へ出力する。
【００４４】
無線アンテナ３１は、他の無線基地局または無線端末局からのＲＦ（Radio Frequency）帯の無線信号を受信し、無線端末局にＲＦ帯の無線信号を送信する。
【００４５】
無線モジュール２７は、無線アンテナ３１で受けたＲＦ帯の無線信号に含まれる各無線チャネルの信号のうち、図示しない制御信号で指定された無線チャネルの信号を抽出してベースバンド信号に周波数変換する。そして、無線モジュール２７は、アナログ信号であるベースバンド信号をデジタル信号である受信データに変換し、無線制御部３０へ出力する。また、無線モジュール２７は、無線信号処理部２６から受けたデジタル信号である変調された送信データをアナログ信号に変換し、アナログ信号をＲＦ帯に周波数変換した送信信号を増幅して無線アンテナ３１へ出力する。
【００４６】
無線信号処理部２６は、無線モジュール２７から出力される受信データを復調し、復調した受信データ内の各フレームにエラーがあるか否かの判定を行なう。また、無線信号処理部２６は、無線端末局へ送る送信データを変調する。
【００４７】
無線制御部２５は、通信状態情報作成部２１と、フレーム同期制御部３３とを含む。
【００４８】
通信状態情報生成部２１は、無線モジュール２７によるエラー判定に基づいて、通信状態情報を作成する。
【００４９】
図４は、通信状態情報に含まれる各項目の内容を表わす図である。
【００５０】
図４を参照して、通信状態情報は、時間情報Ｔｓ、トラフィック情報Ｆｓおよびエラー情報Ｅｓからなる。
【００５１】
時間情報Ｔｓは、トラフィック情報Ｆｓおよびエラー情報Ｅｓが、８時から９時までのように、何時から何時までの情報であるかを表す。
【００５２】
トラフィック情報Ｆｓは、トラフィック量を表わす。トラフィック情報Ｆｓの具体例は、時間情報Ｔｓで表される時間内において、使用された無線チャネルの使用時間を合計したもの、または使用された受信スロット（つまり、上りのスロット）数であるが、その他のものであってもよい。
【００５３】
エラー情報Ｅｓは、受信エラーの回数または受信エラー率を表わす。エラー情報Ｅｓの具体例は、時間情報Ｔｓで表される時間内における受信スロットのエラー数（つまり、使用された受信スロットのうち、エラーのあった受信スロットの数）、または受信スロットのエラーレート（つまり、使用された受信スロットのうちエラーのあった受信スロットの割合）であるが、その他のものであってもよい。
【００５４】
以下の説明では、トラフィック情報Ｆｓは、時間情報Ｔｓで表される使用された受信スロットの数とし、エラー情報Ｅｓは時間情報Ｔｓで表される時間内における受信スロットのエラー数とする。
【００５５】
通信状態情報作成部２１による通信状態情報の作成手順は後述する。
【００５６】
フレーム同期制御部３３は、ＧＰＳ受信機２８から出力される基準タイミング信号に自局のＴＤＭＡ／ＴＤＤフレームを同期させる。そして、フレーム同期制御部３３は、確立したＴＤＭＡ／ＴＤＤのフレームの同期を維持するために、センタ１から送信される基準クロックに自局のクロックを同調している。
【００５７】
フレーム同期制御部３３は、センタ１から再フレーム同期の指示を受信したときに、ＧＰＳ受信機２８から出力される基準タイミング信号に自局のＴＤＭＡ／ＴＤＤフレームを再度同期させる。
【００５８】
中央制御部２２は、無線基地局全体の動作を制御する。
【００５９】
音声制御部２４は、音声出力を制御する。
【００６０】
回線制御部２３は、中央制御部２２から受けた通信状態情報をＩＳＤＮ網３２へ出力するとともに、ＩＳＤＮ網３２から受けた通信状態情報の要求およびクロック同期信号を中央制御部２２へ出力する。
【００６１】
電源部２９は、交流電圧を直流電圧に変換して、直流電圧を各構成要素へ供給する。
【００６２】
再び、図３を参照して、センタ１は、回線制御部２と、再フレーム同期制御部３と、基地局リスト記憶部４と、クロック発生部５とを備える。
【００６３】
基地局リスト記憶部４は、各無線基地局について、その周囲にある無線基地局を定めた基地局リストを保存する。
【００６４】
クロック発生部５は、基準クロック信号を発生する。基準クロック信号は各無線基地局へ送られてＣＳ１ａ〜ＣＳ１ｅにおいてクロックの同調が行なわれる。
【００６５】
再フレーム同期制御部３は、通信状態情報が、１時間内の使用された受信スロットの数が規定値以上あり、１時間内の受信スロットのエラーレートが第１の閾値Ｔｈｒ１を越え、かつ１時間内の受信スロットのエラーレートが第３の閾値Ｔｈｒ３を超える数の他の無線基地局の１時間内のエラーレートよりも第２の閾値Ｔｈｒ２を超えて大きいことを示すときに、再フレーム同期が必要と判断する。再フレーム同期制御部３の詳細な処理は、後述する。
【００６６】
回線制御部２は、再フレーム同期制御部３から受けた通信状態情報の要求およびクロック発生部５から受けた同期クロック信号をＩＳＤＮ網３２へ出力するとともに、ＩＳＤＮ網３２から受けた通信状態情報を再フレーム同期制御部３へ出力する。
【００６７】
（無線基地局の通信状態情報作成の動作）
図５は、無線基地局ＣＳ１ａの通信状態情報作成の動作手順を示すフローチャートである。フローチャートの各ステップは、プログラムを図示しないメモリから読み出して実行する。このプログラムは、外部からインストールすることができる。
【００６８】
図５を参照して、まず、通信状態情報作成部２１は、変数の初期化を実行する。すなわち、通信状態情報の時間情報Ｔｓを現在時刻の１時間前の時間帯に初期化し、通信状態情報のトラフィック情報Ｆｓ＝０、通信状態情報のエラー情報Ｅｓ＝０、および現在時間帯のトラフィックカウンタＦｔ＝０に初期化する（ステップＳ１０１）。
【００６９】
次に、通信状態情報作成部２１は、毎時０分の更新タイミングになると（ステップＳ１０２でＹＥＳ）、通信状帯情報の時間情報Ｔｓ、トラフィック情報Ｆｓ、およびエラー情報Ｅｓを更新する。すなわち、通信状態情報の時間情報Ｔｓを１時間だけインクリメントし、通信状態情報のトラフィック情報Ｆｓにその時点での現在時間帯のトラフィックカウンタＦｔの値をセットし、通信状態情報のエラー情報Ｅｓにその時点での現在時間帯のエラーカウントＥｔの値をセットする。また、通信情報作成部２１は、現在時間帯のトラフィックカウンタＦｔ、および現在時間帯のエラーカウンタＥｔを０にリセットする（ステップＳ１０３）。
【００７０】
次に、通信状態情報作成部２１は、通信状態情報要求を受信すると（ステップＳ１０４でＹＥＳ）、時間情報Ｔｓ、トラフィック情報Ｆｓおよびエラー情報Ｅｓからなる通信状態情報をＩＳＤＮ網３２を通じてセンタ１へ送信させる（ステップＳ１０５）。
【００７１】
次に、通信状態情報作成部２１は、現在時間帯のトラフィックカウンタＦｔ、および現在時間帯のエラーカウンタＥｔを更新する。すなわち、通信状態情報作成部２１は、現在時間帯のトラフィックカウンタＦｔに未カウントの使用された受信スロット数を加え、無線信号処理部２６のエラー判定に基づいて、現在時間帯のエラーカウンタＥｔに未カウントの受信スロットのエラー数を加える（ステップＳ１０６）。
【００７２】
（センタの動作）
図６および図７は、センタ１の動作手順を示すフローチャートである。フローチャートの各ステップは、プログラムを図示しないメモリから読み出して実行する。このプログラムは、外部からインストールすることができる。
【００７３】
図６および図７を参照して、再フレーム同期制御部３は、各無線基地局ＣＳ２ａ〜ＣＳ２ｅに対して、通信状態情報の要求を送信する（ステップＳ２０１）。
【００７４】
次に、再フレーム同期制御部３は、取得タイマをスタートする（ステップＳ２０２）。
【００７５】
次に、再フレーム同期制御部３は、通信状態情報を受信すると（ステップＳ２０３でＹＥＳ）、トラフィック情報Ｆｓで示されるトラフィック量（つまり、使用された受信スロット数）が規定値以上か否かを調べ、規定値以上のときには（ステップＳ２０４でＹＥＳ）、受信した通信状態情報をストアする（ステップＳ２０５）。
【００７６】
再フレーム同期制御部３は、全ての対象無線基地局から通信状態情報を受信したときには（ステップＳ２０６でＹＥＳ）、ステップＳ２０９以降の処理に進む。
【００７７】
再フレーム同期制御部３は、全ての対象無線基地局から通信状態情報を受信していないときには（ステップＳ２０６でＮＯ）、取得タイマがタイムアウトしているか否かを調べ、取得タイマがタイムアウトしているときには（ステップＳ２０７でＹＥＳ）、ステップＳ２０９以降の処理に進む。また、再フレーム同期制御部３は、取得タイマがタイムアウトしていないときには（ステップＳ２０７でＮＯ）、通信状態情報の受信を待つ（ステップＳ２０８）。
【００７８】
次に、再フレーム同期制御部３は、基地局番号ｎを０にセットする（ステップＳ２０９）。
【００７９】
再フレーム同期制御部３は、第ｎ番目の基地局について、通信状態情報がストアされているときには、通信状態情報を構成するトラフィック情報Ｆｓ（使用された受信スロット数）とエラー情報Ｅｓ（受信スロットのエラー数）とを読出し、Ｆｓ／Ｅｓを計算し、計算結果を第ｎ番目の無線基地局の受信スロットのエラーレートＳＥＲ（ｎ）とする。そして、再フレーム同期制御部３は、エラーレートＳＥＲ（ｎ）が所定の第１の閾値Ｔｈｒ１以下であれば、（ステップＳ２１０でＮＯ）、第ｎ番目の無線基地局については再フレーム同期が不要と判断し、ステップＳ２１８に進む。
【００８０】
再フレーム同期制御部３は、エラーレートＳＥＲ（ｎ）が所定の第１の閾値Ｔｈｒ１を超えていれば、（ステップＳ２１０でＹＥＳ）、第ｎ番目の無線基地局については再フレーム同期の可能性があると判断し、さらに調べる。
【００８１】
再フレーム同期制御部３は、基地局リスト記憶部４内の基地局リストを参照して、第ｎ番目の無線基地局の周囲の無線基地局群のうちの１つを選択する。選択した無線基地局を第ｘ番目の基地局であるとする。さらに、再フレーム同期制御部３は、カウンタＣを０に初期化する（ステップＳ２１１）。
【００８２】
再フレーム同期制御部３は、第ｘ番目の基地局について通信状態情報がストアされているときには、トラフィック情報Ｆｓと、エラー情報Ｅｓとを読出し、Ｆｓ／Ｅｓを計算し、計算結果を第ｘ番目の基地局の受信スロットのエラーレートＳＥＲ（ｘ）とする。そして、再フレーム同期制御部３は、エラーレートＳＥＲ（ｎ）とエラーレートＳＥＲ（ｘ）との差が所定の第２の閾値Ｔｈｒ２以下であれば、（ステップＳ２１２でＮＯ）、基地局リストを参照して、第ｎ番目の無線基地局の周囲の無線基地局が他にないかどうかを調べ、他にないときには（ステップＳ２１３でＹＥＳ）、ステップＳ２１８に進む。
【００８３】
一方、再フレーム同期制御部３は、第ｎ番目の無線基地局の周囲の無線基地局が他にあるときには（ステップＳ２１３でＮＯ）、その周囲の無線基地局を選択し、選択した無線基地局を第ｘ番目の基地局であるとし、ステップＳ２１２にもどる（ステップＳ２１４）。
【００８４】
再フレーム同期制御部３は、エラーレートＳＥＲ（ｎ）とエラーレートＳＥＲ（ｘ）との差が所定の第２の閾値Ｔｈｒ２を超えていれば（ステップＳ２１２でＹＥＳ）、カウンタＣをインクリメントする（ステップＳ２１５）。
【００８５】
次に、再フレーム同期制御部３は、カウンタＣの値が所定の第３の閾値Ｔｈｒ３以下であれば（ステップＳ２１６でＮＯ）、基地局リストを参照して、第ｎ番目の無線基地局の周囲の無線基地局が他にないかどうかを調べ、他にないときには（ステップＳ２１３でＹＥＳ）、ステップＳ２１８に進む。一方、再フレーム同期制御部３は、第ｎ番目の基地局の近傍の基地局が他にあるときには（ステップＳ２１３でＮＯ）、その周囲の無線基地局を選択し、選択した基地局を第ｘ番目の基地局であるとし、ステップＳ２１２にもどる（ステップＳ２１４）。
【００８６】
一方、再フレーム同期制御部３は、カウンタＣの値が所定の第３の閾値Ｔｈｒ３を超えていれば（ステップＳ２１６でＹＥＳ）、第ｎ番目の無線基地局に対して再フレーム同期が必要と判断し、第ｎ番目の無線基地局へ再フレーム同期の指示を送信する。再フレーム同期の指示を受信した無線基地局のフレーム同期制御部３３は、ＧＰＳ受信機２８から出力される基準タイミング信号に、再度自局のＴＤＭＡ／ＴＤＤフレームを同期させる（ステップＳ２１７）。
【００８７】
次に、ステップＳ２１８において、再フレーム同期制御部３は、ｎが最終でない場合、つまりすべての無線基地局について再フレーム同期が必要かの判断を終了していない場合には（ステップＳ２１８でＮＯ）、基地局番号ｎを１だけインクリメントする（ステップＳ２１９）。一方、再フレーム同期制御部３は、ｎが最終の場合、つまりすべての無線基地局について再フレーム同期が必要かの判断をした場合には（ステップＳ２１８でＹＥＳ）、再フレーム同期制御を終了する。
【００８８】
以上のように、本実施の形態に係る無線基地局間同期制御システムによれば、通信情報情報を用いてフレームの同期がずれたことを早期に検出して、再フレーム同期を行ない、良好な通信状態へ復帰させることができる。また、フレームの同期がずれた場合でも、通信品質に影響がない程度であれば、フレーム同期のためにサービスが中断することなく、サービスをそのまま継続して提供することができる。
【００８９】
（変形例）
本発明は、上記の実施形態に限定されるものではない。以下、上記実施形態の変形例について説明する。
【００９０】
（１）  通信状態情報
本発明の実施形態では、無線基地局が使用された受信スロット数と受信スロットのエラー数の情報を含む通信状態情報を送信し、センタが受信した通信状態情報から受信スロットのエラーレートを算出したが、無線基地局で受信スロットのエラーレートを算出して、使用された受信スロット数と受信スロットのエラーレートの情報を含む通信状態情報を送信するものとしてもよい。
【００９１】
（２）  再フレーム同期の判断基準
本発明の実施形態では、再フレーム同期制御部３は、通信状態情報が、１時間内の使用された受信スロットの数が規定値以上あり、１時間内の受信スロットのエラーレートが第１の閾値Ｔｈｒ１を越え、かつ１時間内の受信スロットのエラーレートが第３の閾値Ｔｈｒ３を超える数の他の無線基地局の１時間内のエラーレートよりも第２の閾値Ｔｈｒ２を超えて大きいことを示すときに、再フレーム同期が必要と判断したが、これに限定するものではない。
【００９２】
たとえば、再フレーム同期制御部３は、通信状態情報が、１時間内の使用された受信スロットの数が規定値以上あり、１時間内の受信スロットのエラー数が第１の閾値Ｔｈｒ１′を越え、かつ１時間内の受信スロットのエラー数が第３の閾値Ｔｈｒ３′を超える数の他の無線基地局の１時間内の受信スロットのエラー数よりも第２の閾値Ｔｈｒ２′を超えて多いことを示すときに、再フレーム同期が必要と判断するものとしてもよい。
【００９３】
この場合、図６に示すステップＳ２１０のｎ番目の無線基地局の１時間内の受信スロットのエラーレートＳＥＲ（ｎ）がｎ番目の無線基地局の１時間内の受信スロットのエラー数ＳＥＮ（ｎ）に置き換えられ、Ｔｈｒ１がＴｈｒ１′に置き換えられる。
【００９４】
また、ステップＳ２１２のｎ番目の無線基地局の１時間内の受信スロットのエラーレートＳＥＲ（ｎ）がｎ番目の無線基地局の１時間内の受信スロットのエラー数ＳＥＮ（ｎ）に置き換えられ、ｘ番目の無線基地局の１時間内の受信スロットのエラーレートＳＥＲ（ｘ）がｘ番目の無線基地局の１時間内の受信スロットのエラー数ＳＥＮ（ｘ）に置き換えられ、Ｔｈｒ２がＴｈｒ２′に置き換えられる。
【００９５】
また、ステップＳ２１６のＴｈｒ３がＴｈｒ３′に置き換えられる。
【００９６】
（３）  フレーム同期
フレーム同期制御部３３は、ＧＰＳ受信機から出力される基準タイミング信号に、自局のＴＤＭＡ／ＴＤＤフレームを同期させるものとしたが、これに限定するものではない。たとえば、他の無線基地局から送信された無線信号を受信し、その無線信号に含まれるＴＤＭＡ／ＴＤＤフレームに、自局のＴＤＭＡ／ＴＤＤフレームを同期させるものとしてもよい。
【００９７】
（４）  基準クロックに基づく同期の維持
本発明の実施形態では、フレーム同期制御部３３は確立したＴＤＭＡ／ＴＤＤのフレームの同期を維持するために、センタ１から送信される基準クロックに自局のクロックを同調したが、このようなクロックの同調は必ずしも必要ではなく、このようなクロックの同調は行なわないものとしてもよい。
【００９８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９９】
【図１】無線基地局間同期制御システムの構成を示す図である。
【図２】無線基地局間同期制御システムの再フレーム同期処理のシーケンスを表わす図である。
【図３】無線基地局間同期制御システムの詳細な構成を示す図である。
【図４】通信状態情報に含まれる各項目の内容を表わす図である。
【図５】無線基地局ＣＳ１ａの通信状態情報作成の動作手順を示すフローチャートである。
【図６】センタ１の動作手順を示すフローチャートである。
【図７】センタ１の動作手順を示すフローチャートである。
【図８】ＴＤＭＡ／ＴＤＤ方式を説明するための図である。
【図９】無線基地局Ａ、ＢおよびＣでフレーム同期が確立された状態を表す図である。
【図１０】無線基地局Ｂでフレーム同期がとれなくなった状態を表す図である。
【符号の説明】
【０１００】
１  センタ、３  再フレーム同期制御部、４  基地局リスト記憶部、ＣＳ１ａ〜ＣＳ１ｅ  無線基地局、２１  通信状態情報作成部、２２  中央制御部、２，２３  回線制御部、２４  音声制御部、２５  無線制御部、２６  無線信号処理部、２７  無線モジュール、２８  ＧＰＳ受信機、２９  電源部、３０  ＧＰＳアンテナ、３１  無線アンテナ、３２  ＩＳＤＮ網、３３  フレーム同期制御部。
【図１】
2006186765.tif 000003
【図２】
2006186765.tif 000004
【図３】
2006186765.tif 000005
【図４】
2006186765.tif 000006
【図５】
2006186765.tif 000007
【図６】
2006186765.tif 000008
【図７】
2006186765.tif 000009
【図８】
2006186765.tif 000010
【図９】
2006186765.tif 000011
【図１０】
2006186765.tif 000012